(57)【要約】  【課題】画像データのセキュリティを向上させることができる画像処理装置を提供する。  【解決手段】  画像データから特定画像を抽出する抽出手段と、抽出された特定情報に基いて前記画像データの編集処理を禁止する制御手段とを備え、本来コピー禁止の画像データを編集によりコピー可能な状態に改変されるのを防止する。具体的には、ハードディスク装置から読み出されたファイル中の画像データに特定情報が含まれているか否かを判断し、特定情報が存在すれば、編集禁止処理を実行する。また、特定情報が存在するときは、１００％以上の拡大表示を禁止する。【選択図】図１０
2007300294.tif 000002
【特許請求の範囲】
【請求項１】
画像データから特定画像を抽出する抽出手段と、抽出された特定情報に基いて前記画像データの編集処理を禁止する制御手段とを備えたことを特徴とする画像処理装置。
【請求項２】
画像データを表示する表示部が設けられたことを特徴とする請求項１に記載の画像処理装置。
【請求項３】
制御手段は、特定情報が検出されたときに画像データの拡大表示を禁止することを特徴とする請求項２に記載の画像処理装置。
【請求項４】
制御手段は、特定情報が検出されたときに編集禁止を報知することを特徴とする請求項１に記載の画像処理装置。
【請求項５】
制御手段は、特定情報が検出されたときに前記表示部に編集画面を表示させないようにすることを特徴とする請求項２に記載の画像処理装置。
【発明の詳細な説明】
【技術分野】
【０００１】
本発明は、画像データとは異なる、コピー禁止やコピー牽制等の特定情報が存在する場合に画像データの編集処理を禁止する画像処理装置に関する。
【背景技術】
【０００２】
画像処理装置には、入力された画像データを表示部に表示させ、その画像データの濃度やコントラストを調整し、または画像データを部分的に抽出するなどのトリミング機能を備えている。
【０００３】
また、近年、セキュリティの観点から、画像データに画像データとは異なる特定情報（ドキュメント・コントロール・パターン）を合成し、その合成された特定情報に基づいてコピーの禁止などの処理が行われるようになっている。
【０００４】
特許文献１には、原稿を識別するための管理情報、例えば、原稿の書籍名、ページ番号、オリジナルからの世代番号、コピー枚数、コピー日時、利用者名、複写装置のコード番号等の管理情報を画像データに合成する複写装置が開示されている。
【特許文献１】特開平６−２０１２２号公報
【発明の開示】
【発明が解決しようとする課題】
【０００５】
しかしながら、上記の編集機能付きの画像処理装置では、画像データを編集することで特定情報を消去し、本来はコピー禁止の画像データであっても、コピー可能な状態にすることができ、セキュリティ上問題となる。
【０００６】
本発明は、上記に鑑み、特定情報が存在する画像データについては、画像データに関する編集処理を全て禁止して、画像データのセキュリティを向上させることができる画像処理装置を提供しようとするものである。
【課題を解決するための手段】
【０００７】
上記目的を達成するため、本発明に係る画像処理装置は、画像データから特定画像を抽出する抽出手段と、抽出された特定情報に基いて前記画像データの編集処理を禁止する制御手段とを備えたことを特徴とする。
【０００８】
上記構成によると、画像データから抽出された特定情報に基いて画像データの編集処理を禁止するように制御するので、本来コピー禁止の画像データを編集によりコピー可能な状態に改変されるのを防止することができ、画像データのセキュリティを向上させることができる。
【０００９】
ここで、画像処理装置は、画像データを編集する編集画面を表示可能な表示部を備えた構成とする。これにより、画像データに特定情報がない場合など、表示部に画像データの編集画面を表示させて画像データの編集を行なうことができる。
【００１０】
この際、縮小表示のプレビュー画面であれば、画像データに含まれた特定情報をユーザーが見ることができないので、プレビュー画面を表示できると共にセキュリティも向上する。
【００１１】
また、制御手段は、抽出手段により特定情報が検出されたときに画像データの拡大表示を禁止することができる。画像データの拡大表示を禁止することで、ユーザーが特定情報を認識させないようにすることができる。
【００１２】
また、制御手段は、特定情報が検出されたときに編集禁止を報知することができる。表示倍率の如何を問わず、編集禁止をユーザーに知らせることができる。
【００１３】
また、制御手段は、特定情報が検出されたときに、表示部に編集画面を表示させないようにすることができる。これにより、表示倍率の如何を問わず、編集画面を表示させないため、特定情報を消去するなどの編集を行なうことができず、セキュリティを向上させることができる。
【発明の効果】
【００１４】
以上のとおり、本発明によると、画像データから抽出された特定情報に基いて画像データの編集処理を禁止するようにしているので、画像データから特定情報を消去して画像データをコピー可能な状態にする等の編集ができなくなり、セキュリティを向上させることができる。
【発明を実施するための最良の形態】
【００１５】
本実施形態の画像処理装置を図１に示す。本画像処理装置は、コピーモード、プリンタモード、スキャナモードおよびファクシミリモードを有するデジタル複合機であり、原稿を読み取って画像データを入力する画像読み取り部１と、ユーザの入力を受け付ける操作部２と、入力された画像データの印刷を行う画像形成部３と、画像データを保存するハードディスク装置４と、外部機器とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００１６】
画像読み取り部１は、画像を入力する画像入力手段として機能し、ＣＣＤ１０といった撮像素子と、原稿台や自動原稿送り装置（ＡＤＦ）にセットされた原稿を検知する原稿検知センサ１１とを有する。ＣＣＤ１０によって読み取られた画像の画像データは画像形成部３に出力される。
【００１７】
操作部２は、操作パネルを備え、各種入力キーからなる入力部１２と、液晶ディスプレイ等の表示部１３とを有する。装置全体の操作や各種設定の入力が行われ、入力内容や装置全体の動作状況が表示される。なお、表示部１３は、タッチパネルとされ、入力部としても機能する。
【００１８】
画像形成部３は、入力された画像データを記憶するローカルメモリ２０と、レーザ走査ユニットを有する印字部２１と、手差しトレイ、カセットトレイを備えた給紙部２２と、排紙トレイを備えた排紙部２３と、画像処理部２４と、暗号化複合化部２５とを有する。
【００１９】
ローカルメモリ２０は、ＳＤＲＡＭ、フラッシュメモリ等の読み書き可能な半導体メモリを用いる。ローカルメモリ２０は、入力された画像データを記憶する領域と、出力するための画像データを記憶する領域とに分割されている。なお、１つのローカルメモリ２０を分割して使用する代わりに、２つのローカルメモリ２０を入力用と出力用として、それぞれ使用してもよい。
【００２０】
入力された画像データはローカルメモリ２０に記憶される。ローカルメモリ２０は、古い画像データに新しい画像データを上書きすることにより、画像データを記憶する。画像データは、画像処理部２４によって圧縮、伸張、加工等の画像処理が行われ、ローカルメモリ２０に記憶される。画像処理された画像データが印字部２１、ハードディスク装置４あるいは機器制御部９に出力される。印字部２１は、ローカルメモリ２０に記憶された画像データに基づいて、給紙部２２から供給される記録シートに画像を印刷する。
【００２１】
通信部５は、ＬＡＮケーブルを介してルータ、スイッチングハブ等に接続され、パソコン、サーバ等の情報処理装置３０によって形成されたネットワークと接続される。ネットワークは、電話回線網や光ファイバ等の通信回線を介してインターネットに接続される。通信部５は、ネットワーク内の情報処理装置３０とデータの送受信を行うとともに、インターネットを通じて外部の情報処理装置３０やファクシミリ装置３１とデータや電子メールの送受信を行う。ＦＡＸモデム７は、電話線を介して電話回線網に接続され、外部のファクシミリ装置６とファクシミリ通信を行う。
【００２２】
機器制御部９は、操作部２からの入力や外部機器からのデータ入力があると、管理部８に記憶されている情報に基づいて各部を制御して、入力された画像データを処理する。すなわち、入力された画像データに対してコピーモード、プリンタモード、スキャナモード、ファクシミリモードのいずれかを実行して、入力された画像データを所望の形態で出力する。
【００２３】
ハードディスク装置４は、画像データを一時的に保存する。暗号化復号化部２５は、画像データに対して暗号化処理あるいは復号化処理を行う。ハードディスク装置４に画像データが保存されるとき、暗号化復号化部２５によって、画像データは暗号化される。ハードディスク装置４から暗号化された画像データを読み出すとき、画像データは復号化される。
【００２４】
また、ハードディスク装置４は、画像データ以外のデータとして、データの処理に関する管理情報を記憶する。管理情報としては、ファイリング管理情報、送信先管理情報、履歴管理情報である。ファイリング管理情報は、入力された画像データを保存したファイルのリストである。送信先管理情報は、ファクシミリ通信における送信先のリストである。履歴管理情報は、実行した処理内容のリストである。
【００２５】
そして、ハードディスク装置４の画像データを消去する消去手段３２を備えている。消去対象の画像データは、処理作業エリアに記憶されているデータである。機器制御部９が、画像データを処理して出力した後に消去手段３２の動作を制御する。消去手段３２は、ランダムなデータや無意味なデータを上書きしたり、あるいはデータを消去したりして、記憶されていた画像データを読み取り不可能にして、元の画像を再現できないように無効化する。なお、消去手段３２は、ローカルメモリ２０に対しても、上書きにより古い画像データを消去する、あるいは画像データを消去することによって、画像データを無効化するようにしてもよい。なお、ハードディスク装置４に記憶されている管理情報は、機器制御部９からの指令がない限り消去されない。
【００２６】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１０によって読み取る。ＣＣＤ１０から出力された画像データは、画像処理部２４により、ローカルメモリ２０上で画像処理され、出力画像として完成される。一旦ローカルメモリ２０からハードディスク装置４に転送されて保存される。原稿が複数ある場合は、この読み取り、記憶の動作が繰り返される。
【００２７】
その後、操作部２から指示された処理内容に基づいて、ハードディスク装置４に保存された画像データが適切なタイミングで順次読み出され、ローカルメモリ２０に送られる。そして、印字部２１への書き込みタイミングに合わせて、画像データがローカルメモリ２０から印字部２１へと転送され、給紙部２２から供給されたシート材に画像が印刷され、シート材は排紙部２３により排出される。
【００２８】
また、読み取った画像データを複数枚印刷する場合も同様に、画像データが出力画像としてページ単位でハードディスク装置４へ記憶され、出力するモードに合わせてハードディスク装置４からローカルメモリ２０に送られる。ローカルメモリ２０の画像データは、出力枚数の分だけ繰り返し、印字部２１への書き込みタイミングに合わせて印字部２１へ転送される。
【００２９】
プリンタモード時には、情報処理装置３０から出力された画像データが、出力処理される。すなわち、情報処理装置３０からの画像データが、通信部５により受信される。機器制御部９は、入力された画像データをローカルメモリ２０に送り、出力する画像データとしてページ単位に展開し、一旦ハードディスク装置４に保存する。そして、画像データは、ハードディスク装置４からローカルメモリ２０に送られ、コピーモードの場合と同様にして印字部２１へと転送され、画像がシート材に印刷される。
【００３０】
スキャナモード時には、画像読み取り部１において読み取られた原稿の画像データが、ネットワークを通じて任意の情報処理装置３０にデータ通信される。すなわち、ＣＣＤ１０から出力された画像データは、ローカルメモリ２０上で画像処理されて出力画像として完成され、一旦ハードディスク装置４へ保存される。そして、送信するとき、画像データがハードディスク装置４からローカルメモリ２０に送られ、機器制御部９は、操作部２を介して指示されたネットワーク内の送信先との通信を確立させ、通信部５から目的の送信先に画像データを送信する。同様に画像データは、通信部５によりネットワークからインターネットを通じて、外部の情報処理装置３０やファクシミリ装置３１にも送信される。また、機器制御部９は、ファクシミリモード時にも同様の動作によって、ＦＡＸモデム７から電話回線を通じてファクシミリ装置６に画像データを送信する。
【００３１】
上記のように画像入力手段から入力された画像の処理が完了したとき、消去手段３２がハードディスク装置４に保存された画像データを消去する。
【００３２】
また、機器制御部９は、暗号化の指示があったとき、暗号化復号化部２５を制御して、画像処理された画像データを暗号化キーにより暗号化する。この暗号化処理は、ＡＥＳ（Advanced Encryption Standard）等の公知のアルゴリズムによって演算処理する。暗号化された画像データは、ハードディスク装置４やメモリ２０に記憶される。
【００３３】
さらに、機器制御部９では、ハードディスク装置４に記憶されたファイルの画像データから特定画像を抽出する抽出手段を備え、この抽出された特定情報に基いて画像データの編集処理を禁止する。特定情報は、特定の文字や記号、図形等が直線状あるいは曲線状に配列されて特定のパターンを構成する。機器制御部９の抽出手段では、読み出したファイルの画像データから前記特定パターンを検出して特定情報であることを認識する。
【００３４】
機器制御部９では、特定情報が検出されたときに、画像データの編集を禁止する他、特定情報などの管理情報をユーザーに見られるのを防止するため、画像データの拡大表示を禁止する。また、機器制御部９では、特定情報が検出されたときに編集禁止や拡大表示禁止を表示部１３に表示したり、あるいは警告音を鳴らして報知する。さらに、機器制御部９では、特定情報が検出されたときに表示部１３に編集画面を表示させないようにすることもできる。
【００３５】
図１０は編集禁止などの画像処理を実行する制御フローチャートである。図１０に示す制御フローチャートおよび図２〜図９の画面表示にしたがって画像処理の動作について説明する。まず、図２に示す操作部２において、「ドキュメントファイリング」を選択すると、図３に示す表示部１３の標準フォルダ画面が表示される。図３の標準フォルダ画面から「ユーザーフォルダ」を選択すると、図４のユーザ画面上には複数のファイルの管理情報が表示される。そこで、図４のユーザ画面において、複数のファイルのうち特定のファイルを選択する。例えば、ファイル名「Ｂａｓｉｃ  ｓｐｅｃｉｆｉｃａｔｉｏｎｓ」を選択すると、図５に示すファイル再操作画面が表示される。ここまでの動作が図１０に示す「保存ファイルを検索」→「保存ファイルを特定」に相当する。
【００３６】
次に、図５に示すファイル再操作表示画面には、印刷、送信、表示、削除などの操作項目が選択できるようになる。この表示画面から「表示」の操作項目を選択したときは、編集処理とみなされ、ファイルの処理を選択したことになる。
【００３７】
図５の表示画面から「表示」の操作項目を選択すると、機器制御部９では、特定された管理情報からハードディスク装置４に保存された画像データがページ単位ごとに読み出され、ローカルメモリ２０に送られる。そして、ローカルメモリ２０の画像データ中に特定情報が含まれているか否かの判断がなされる。特定情報が存在しなければ編集禁止処理を終了する。
【００３８】
画像データに特定情報が存在するときは、縮小表示を可能とし、等倍（１００％）以上の倍率表示を禁止する。
【００３９】
図６（ａ）（ｂ）のファイル表示画面（プレビュー）で、同図（ａ）は表示倍率２５％の表示画面、同図（ｂ）は６０％表示倍率の表示画面を示す。いずれも画面上のスクロールボタンや「拡大」「縮小」ボタンを操作することで、倍率を変更することができる。但し、画像データに特定情報が存在するときは、１００％表示倍率での画面表示は禁止される。図７は画像データに特定情報が存在しない場合の１００％表示倍率の画面を示す。
【００４０】
図６（ａ）（ｂ）において、特定情報を含んだ画像データの場合、表示画面上の編集キーが入力されたときは、編集禁止の警告表示がなされる。図９に示すように、「このファイルにはセキュリティが設定されています」「編集機能は禁止されています」と編集禁止を示す警告表示がなされる。
【００４１】
また、「拡大」キーやスクロールボタンにより、１００％以上の拡大画面に変更されるときは、「このファイルにはセキュリティが設定されています」「１００％以上の拡大は禁止されています」と拡大禁止を示す警告表示がなされる。
【００４２】
編集キーの入力がなければ、ページを指定し、１００％以上の拡大画面の変更指示でなければ、指定サイズにしたがってサイズを更新して表示する。
【００４３】
なお、本発明は、上記実施形態に限定されるものではなく、本発明の範囲内で上記実施形態に多くの修正および変更を加え得ることは勿論である。画像処理装置として、コピーモードおよびファクシミリモードを有する複合機であってもよく、さらにはコピー機、ファクシミリ装置といったように単一のモードだけの専用機であってもよい。
【図面の簡単な説明】
【００４４】
【図１】本発明に係る画像処理装置の概略構成を示す図
【図２】操作部の入力部および表示部を示す図
【図３】図２の入力部でドキュメントファイリングを選択した場合の表示画面を示す図
【図４】図３の表示画面でユーザーフォルダを選択した場合の表示画面を示す図
【図５】図４の表示画面から特定のファイルを選択した場合のファイル再操作画面を示す図
【図６】（ａ）（ｂ）は図５のファイル操作画面から「表示」操作項目を選択し、表示された画面上のスクロールボタンを操作して、それぞれ異なる倍率の表示を行なったときのファイル表示画面を示す図
【図７】図６と同じくスクロールボタンを操作して、１００％倍率表示を行なったときのファイル表示画面を示す図
【図８】１００％倍率表示したときの拡大表示禁止の警告表示画面を示す図
【図９】１００％倍率表示したときの編集機能禁止の警告表示画面を示す図
【図１０】画像処理制御を示すフローチャート
【符号の説明】
【００４５】
１    画像読み取り部
２    操作部
３    画像形成部
４    ハードディスク装置
５    通信部
９    機器制御部
１２    入力部
１３    表示部
１４    操作キー
２０    ローカルメモリ
２１    印字部
２５    暗号化復号化部
３０    情報処理装置
【図１】
2007300294.tif 000003
【図２】
2007300294.tif 000004
【図３】
2007300294.tif 000005
【図４】
2007300294.tif 000006
【図５】
2007300294.tif 000007
【図６】
2007300294.tif 000008
【図７】
2007300294.tif 000009
【図８】
2007300294.tif 000010
【図９】
2007300294.tif 000011
【図１０】
2007300294.tif 000012